(57)【要約】【課題】  凹陥状スペース内に締結されたナットまたはボルトのヘッドに簡単に取り付けることができ、これらナットまたはボルトの取り外しを防止することができる取外し防止キャップを提供する。【解決手段】  パイプレンチ等の使用ができない凹陥状スペースＳ内に締結されたナットまたはボルトのヘッドに取り付けられ、前記ナットまたは前記ボルトが取り外されるのを防止する取外し防止キャップ１であって、前記ナットの側面または前記ボルトヘッドの側面を狭持する２以上の側面狭持部３と、前記側面のうち対向位置にある２以上の側面を露出するように開口された側面開口部４と、前記側面に対して外方向に膨出された１以上の膨出部５とを有する。【選択図】  図１
2010038284.tif 000002
【特許請求の範囲】
【請求項１】
パイプレンチ等の使用ができない凹陥状スペース内に締結されたナットまたはボルトのヘッドに取り付けられ、前記ナットまたは前記ボルトが取り外されるのを防止する取外し防止キャップであって、
前記ナットの側面または前記ボルトヘッドの側面を狭持する２以上の側面狭持部と、
前記側面のうち対向位置にある２以上の側面を露出するように開口された側面開口部と、
前記側面に対して外方向に膨出された１以上の膨出部と
を有する取外し防止キャップ。
【請求項２】
請求項１において、前記側面狭持部は、前記側面に対して内方向に傾斜された弾性部材により形成されている取外し防止キャップ。
【発明の詳細な説明】
【技術分野】
【０００１】
本発明は、ナットやボルトの取り外しを防止する技術に関し、特に、パイプレンチ等のように、使用時に所定のスペースを要する工具が使用できない凹陥状スペース内に締結されたナットやボルトの取り外しを防止する取外し防止キャップに関するものである。
【背景技術】
【０００２】
従来、ナットやボルトに取り付けてその取り外しを防止するものとして、例えば、実開昭５３−１５４６１号公報に記載の取外し防止用ボルトナット装置が知られている（特許文献１）。この取外し防止用ボルトナット装置は、締め付けたナットに、当該ナットの外形に適合する内形と円形外周面とを有するカラーを圧着するようになっている。
【０００３】
【特許文献１】実開昭５３−１５４６１号公報
【発明の開示】
【発明が解決しようとする課題】
【０００４】
しかしながら、特許文献１に記載されたカラーは、その外周面が円形に形成されているため、パイプレンチ等の特殊工具でなければ取り外すことができない。このため、パイプレンチ等の使用ができない凹陥状スペース内に締結されたナットやボルトに対し、上記カラーを圧着してしまうと、後に取り外す必要が生じても、取り外すことが困難になってしまうという問題がある。
【０００５】
また、近年、側溝等に設置されるグレーチング蓋については、鋼材価格の高騰を背景に盗難事件が急増している。このため、格子間の凹陥状スペース内にナットやボルトを配置して固定するタイプのグレーチング蓋も増えている。しかしながら、通常のナットやボルトで固定しても、凹陥状スペースに挿入可能なボックスレンチ等を使用すれば簡単に取り外せてしまうという問題がある。その一方で、グレーチング蓋が破損したり変形してしまった場合には、事故防止の観点からすみやかに交換する必要がある。したがって、悪意者による取り外しを防止するとともに、必要に応じて取り外しが可能な取外し防止技術の開発が望まれている。
【０００６】
また、従来、取り外しを防止するための技術として、一般的な工具では外せない特殊形状のナットやボルトも存在する。しかしながら、既に通常の六角ナットや六角ボルトで締結されているものについては、１つ１つ特殊形状のナットやボルトに交換する作業は極めて煩雑である。特に、グレーチング蓋のように全国に数多く存在するものについては、その交換作業に膨大な時間や手間と費用がかかるという問題がある。
【０００７】
本発明は、このような問題点を解決するためになされたものであって、凹陥状スペース内に締結されたナットまたはボルトのヘッドに簡単に取り付けることができ、これらナットまたはボルトの取り外しを防止することができる取外し防止キャップを提供することを目的としている。
【課題を解決するための手段】
【０００８】
本発明に係る取外し防止キャップは、パイプレンチ等の使用ができない凹陥状スペース内に締結されたナットまたはボルトのヘッドに取り付けられ、前記ナットまたは前記ボルトが取り外されるのを防止する取外し防止キャップであって、前記ナットの側面または前記ボルトヘッドの側面を狭持する２以上の側面狭持部と、前記側面のうち対向位置にある２以上の側面を露出するように開口された側面開口部と、前記側面に対して外方向に膨出された１以上の膨出部とを有する。
【０００９】
また、本発明において、前記側面狭持部は、前記側面に対して内方向に傾斜された弾性部材により形成されていてもよい。
【発明の効果】
【００１０】
本発明によれば、凹陥状スペース内に締結されたナットまたはボルトのヘッドに簡単に取り付けることができ、これらナットまたはボルトの取り外しを防止することができる。
【発明を実施するための最良の形態】
【００１１】
以下、本発明に係る取外し防止キャップの実施形態について図面を用いて説明する。図１は、本実施形態の取外し防止キャップ１を示す斜視図であり、図２は、その平面図である。
【００１２】
本実施形態の取外し防止キャップ１は、凹陥状スペースＳ内に締結されたナットやボルトのヘッドに取り付けられ、これらの取り外しを防止するものであり、図１および図２に示すように、主として、平板状の上面部２と、ナットの側面やボルトヘッドの側面を狭持する側面狭持部３と、前記側面を露出させる側面開口部４と、前記側面に対して外方向に膨出された膨出部５とから構成されている。
【００１３】
なお、本実施形態において、凹陥状スペースＳとは、パイプレンチ等の工具を使用するのに充分なスペースを確保できないあらゆる凹状に窪んだ部分を意味するものであり、略円形の窪みや細長い溝、あるいは隣接する２部材間の隙間等の様々な態様を含む意味である。また、本実施形態において、ナットまたはボルトとは、一般的な六角ナットまたは六角ボルトのみならず、袋ナットや四角ナット等のように、通常の工具によって締め付けや取り外しが可能なナットまたはボルトを含む。
【００１４】
以下、各構成部についてより詳細に説明する。上面部２は、略平板状に形成されており、ナットやボルトヘッドの上面を被覆するものである。本実施形態では、図１および図２に示すように、上面部２に対して軸線周りに等角度間隔を隔てて、３つの側面狭持部３と３つの側面開口部４とが交互に設けられている。また、本実施形態では、上面部２に円形穴２１が形成されており、ボルト軸を貫通させたり、袋ナット等に取り付け可能となっている。しかしながら、ボルトヘッドに取り付ける場合等は、円形穴２１を設けなくともよいし、通常のナットに取り付ける場合であっても、円形穴２１ではなく、取外し防止キャップ１の上面部２を袋ナットのようなドーム型の凸状に形成してボルト軸の先端を収容するようにしてもよい。
【００１５】
つぎに、側面狭持部３は、ナットの側面やボルトヘッドの側面を狭持し、取外し防止キャップ１を取り付け可能にするものである。本実施形態において、側面狭持部３は、上面部２の端縁部から下方に延出され、その内壁面で前記側面を狭持するようになっている。また、側面狭持部３は、その狭持力やバランスを考慮して、軸心周りに１２０°間隔で３つ設けられている。しかしながら、側面狭持部３は、上記構成に限られるものではなく、２以上の側面狭持部３が、ナットやボルトヘッドの側面を狭持するように配置されていればよい。
【００１６】
また、本実施形態では、各側面狭持部３が、所定の弾性を有する弾性部材によって形成されており、かつ、前記側面に対して内方向へ傾斜され、先端にいくほど各側面狭持部３同士の間隔が狭められている。具体的には、各側面狭持部３の基端部側の間隔は、狭持するナット等の幅と略同一に形成されており、先端部側の間隔は、その幅よりも小さく形成されている。このため、図３に示すように、取り付け状態では、各側面狭持部３が、前記側面によって拡開され、その弾性による復元力で前記側面を狭持するようになっている。
【００１７】
側面開口部４は、後述する専用工具６による取り外しを可能とするため、ナットの側面やボルトヘッドの側面を露出させるものである。本実施形態において、側面開口部４は、前記専用工具６との係合力やバランスを考慮して、軸心周りに１２０°間隔で３つ設けられている。しかしながら、側面開口部４は、上記構成に限られるものではなく、前記側面のうち対向位置にある２以上の側面を露出して所定の工具が係合可能に開口されていればよい。
【００１８】
なお、本実施形態において、対向位置とは、互いに平行関係にある場合のみならず、互いに隣り合わない位置を含む意味である。ただし、ペンチ等のように、互いに平行な２側面を狭持可能な工具によって取り外される可能性も考えられるため、互いに平行関係にある２側面を露出する場合には注意が必要である。
【００１９】
膨出部５は、一般的なボックスレンチ等との係合を阻止し、ナットやボルトの取り外しを防止する役割を果たすものである。本実施形態において、膨出部５は、図１から図３に示すように、各側面狭持部３の外側面を外方向に湾曲させ、円弧状に膨出することで構成されている。しかしながら、膨出部５は、この構成に限られるものではなく、少なくとも１以上の膨出部５を有していればよい。また、膨出部５は、前記側面に対して外方向に膨出し、ボックスレンチ等の一般的な工具による係合を阻止するものであれば単なる突起でもよく、フランジ状に形成されていてもよい。
【００２０】
つぎに、以上のような構成を備えた本実施形態における取外し防止キャップ１の作用について、図４を参照しつつ説明する。なお、以下の説明では、図４（ａ）に示すように、凹陥状スペースＳ内でワッシャＷを介してボルトＢに締結された袋ナットＮの取り外しを防止する場合を例にして説明する。
【００２１】
まず、作業者は、側面狭持部３および側面開口部４のそれぞれを、凹陥状スペースＳ内に締結された袋ナットＮの各側面に対応するように位置合わせした後、図４（ａ）に示すように、取外し防止キャップ１を上方から被せるようにして取り付ける。このとき、作業者は、取外し防止キャップ１を下方に押し下げるだけで、図４（ｂ）に示すように、各側面狭持部３が外方へ拡開しつつ、弾性力をもって袋ナットＮに取り付けられる。
【００２２】
本実施形態において、各側面狭持部３は、側面に対して内方向に傾斜されているため、拡開されると、その弾性によって内方向へ復元しようとする。これにより、各側面狭持部３は、袋ナットＮの側面を押圧するように狭持し、摩擦抵抗を増大させるため、取外し防止キャップ１が袋ナットＮから外れるのを防止する。
【００２３】
取外し防止キャップ１が取り付けられた袋ナットＮは、凹陥状スペースＳ内に締結されているため、パイプレンチやスパナ等の一般的な工具による取り外しはできない。また、各膨出部５が外方向に膨出されているため、ボックスレンチやソケットレンチ等のように、凹陥状スペースＳ内でも使用可能な工具との嵌合を阻止する。
【００２４】
さらに、本実施形態では、側面開口部４が、袋ナットＮの側面のうち対向位置にある３つの側面のみを露出する。このため、ペンチ等のように互いに平行な２面を狭持可能な工具による取り外しを防止する。一方、図５に示すように、取外し防止キャップ１の平面形状と略同一断面の嵌合穴を有する専用工具６を用いれば、露出された各側面に係合して回転力を付与できるため、必要に応じて取り外すことも可能となる。
【００２５】
以上のような本実施形態によれば、以下の効果を奏する。
１．凹陥状スペースＳ内に締結されたナットやボルトの取り外しを防止することができる。
２．悪意者による取り外しを防止し、かつ、必要に応じてナットやボルトを取り外すことができる。
３．既に締結されているナットやボルトに、簡単かつ迅速に取り付けることができる。
４．ナットやボルトヘッドから外れるのを防止することができる。
【００２６】
なお、本発明に係る取外し防止キャップ１は、上述した実施形態に限定されるものではなく、適宜変更することができる。
【００２７】
例えば、上述した本実施形態では、六角の袋ナットＮに取り付け可能な取外し防止キャップ１について説明したが、これに限られるものではない。具体的には、互いに平行な側面を有するナットまたはボルトヘッドに合わせて、側面狭持部３および側面開口部４の数、配置、形状等を適宜変更すれば、当該ナットまたはボルトヘッドに取り付けることができ、その取り外しを防止しうる。
【００２８】
また、本実施形態の取外し防止キャップ１は、１枚の鋼板材料から構成されているため、各側面狭持部３の内周面も湾曲しているが、この構成に限られるものではない。例えば、各側面狭持部３の内壁面をフラットに形成すれば、ナットの側面またはボルトヘッドの側面と密着し摩擦抵抗が増大するため、取外し防止キャップ１はより一層外れ難くなる。
【図面の簡単な説明】
【００２９】
【図１】本発明に係る取外し防止キャップの実施形態を示す斜視図である。
【図２】本実施形態の取外し防止キャップを示す平面図である。
【図３】本実施形態の取外し防止キャップを取り付けたナットの底面図である。
【図４】本実施形態の取外し防止キャップの使用方法を説明する図である。
【図５】本実施形態の取外し防止キャップ専用の工具を示す（ａ）正面図および（ｂ）Ａ−Ａ線断面図である。
【符号の説明】
【００３０】
１  取外し防止キャップ
２  上面部
３  側面狭持部
４  側面開口部
５  膨出部
６  専用工具
２１  円形穴
Ｓ  凹陥状スペース
Ｂ  ボルト
Ｎ  袋ナット
Ｗ  ワッシャ
【図１】
2010038284.tif 000003
【図２】
2010038284.tif 000004
【図３】
2010038284.tif 000005
【図４】
2010038284.tif 000006
【図５】
2010038284.tif 000007